【手続補正書】
【提出日】平成16年12月2日(2004.12.2)
【手続補正１】
【補正対象書類名】明細書
【補正対象項目名】特許請求の範囲
【補正方法】変更
【補正の内容】
【特許請求の範囲】
【請求項１】
電気光学装置用基板において、
実質的に光が透過可能な透過部及び光を反射する反射部と、
前記反射部に設けられた反射層と、
前記透過部を覆い、且つ前記反射部においてドット形状に複数配置された着色層と、
を備えることを特徴とする電気光学装置用基板。
【請求項２】
電気光学装置用基板において、
光を反射する反射部を有する反射層と、
前記反射層上に設けられた着色層と、
を備え、
前記反射部には、前記着色層がドット形状に複数配置されていることを特徴とする電気光学装置用基板。
【請求項３】
請求項１に記載の電気光学装置用基板において、前記反射部に配置された前記着色層の面積は、前記反射部の面積の１０％〜９０％であることを特徴とする電気光学装置用基板。
【請求項４】
請求項１に記載の電気光学装置用基板において、前記着色層の前記透過部に配置された部分及び前記着色層の前記反射部に配置された部分は、同じ光濃度の材料を含むことを特徴とする電気光学装置用基板。
【請求項５】
請求項１に記載の電気光学装置用基板において、
前記着色層の前記透過部に配置された部分は第１の材料を含み、
前記着色層の前記反射部に配置された部分は第２の材料を含み、
前記第１の材料及び前記第２の材料は、互いに光濃度が異なることを特徴とする電気光学装置用基板。
【請求項６】
請求項１に記載の電気光学装置用基板において、前記複数のドット形状は、各々が離間するように配置されていることを特徴とする電気光学装置用基板。
【請求項７】
請求項１に記載の電気光学装置用基板において、前記複数のドット形状の少なくとも二つは接していることを特徴とする電気光学装置用基板。
【請求項８】
請求項１に記載の電気光学装置用基板において、各前記ドット形状は、所定の方向に沿って配列するように配置されていることを特徴とする電気光学装置用基板。
【請求項９】
請求項１に記載の電気光学装置用基板において、各前記ドット形状は、ランダムに配置されていることを特徴とする電気光学装置用基板。
【請求項１０】
請求項１に記載の電気光学装置用基板において、各前記ドット形状は、多角形状又は楕円形状を含むことを特徴とする電気光学装置用基板。
【請求項１１】
実質的に光が透過可能な透過部及び光を反射する反射部と、前記反射部に設けられた反射層とを備える電気光学装置用基板の製造方法において、
所定の方向に走査可能なノズルから着色層材料を前記反射部に塗布し、前記反射部に着色層をドット形状に複数形成することを特徴とする電気光学装置用基板の製造方法。
【請求項１２】
一対の基板を有する電気光学装置において、
一方の前記基板には、実質的に光が透過可能な透過部及び光を反射する反射部と、前記反射部に設けられた反射層とが設けられ、
他方の前記基板には、前記反射層に平面的に重なるように着色層が設けられ、
前記着色層は、前記反射部に対応する領域にはドット形状に配置されるとともに、前記透過部に対応する領域には少なくともその一部を覆うように配置されることを特徴とする電気光学装置。
【請求項１３】
一対の基板を有する電気光学装置において、
前記基板間には、表示用の第１電極、着色層、表示用の第２電極及び反射層が平面的に重なるように配置され、
前記第１電極及び前記第２電極が重なる領域に画素領域が定義され、
前記画素領域内に、実質的に光が透過可能な透過部及び光を反射する反射部が設けられ、
前記反射部に前記反射層が設けられ、
前記着色層は、前記反射部に対応する領域にはドット形状に複数配置されるとともに、前記透過部に対応する領域には少なくともその一部を覆うように配置されることを特徴とする電気光学装置。
【請求項１４】
請求項１２又は１３に記載の電気光学装置において、前記反射部に配置された前記着色層の面積は、前記反射部の面積の１０％〜９０％であることを特徴とする電気光学装置。
【請求項１５】
請求項１２又は１３に記載の電気光学装置において、前記着色層の前記透過部に配置された部分及び前記着色層の前記反射部に配置された部分は、同じ光濃度の材料を含むことを特徴とする電気光学装置。
【請求項１６】
請求項１２又は１３に記載の電気光学装置において、
前記着色層の前記透過部に配置された部分は第１の材料を含み、
前記着色層の前記反射部に配置された部分は第２の材料を含み、
前記第１の材料及び前記第２の材料は、互いに光濃度が異なることを特徴とする電気光学装置。
【請求項１７】
電気光学装置用基板において、
複数の透過部及び複数の反射部と、
前記反射部に設けられた反射層と、
前記反射層上に設けられた、異なる色の複数の着色層と、
を備え、
各前記透過部には、各前記透過部を覆うように、対応する前記着色層が配置され、
各前記反射部には、対応する前記着色層がドット形状に複数配置され、
前記複数の着色層の少なくとも一つは、その他の着色層と前記反射部に配置される面積が異なることを特徴とする電気光学装置用基板。
【請求項１８】
請求項１２〜１６のいずれか１項に記載された電気光学装置と、前記電気光学装置を制御する制御手段とを備えてなることを特徴とする電子機器。
【手続補正２】
【補正対象書類名】明細書
【補正対象項目名】００１１
【補正方法】変更
【補正の内容】
【００１１】
【課題を解決するための手段】
上記の問題を解決するために、本発明の電気光学装置用基板は、実質的に光が透過可能な透過部及び光を反射する反射部と、前記反射部に設けられた反射層と、前記透過部を覆い、且つ前記反射部においてドット形状に複数配置された着色層と、を備えることを特徴とする。
【手続補正３】
【補正対象書類名】明細書
【補正対象項目名】００１２
【補正方法】変更
【補正の内容】
【００１２】
また、本発明の電気光学装置用基板は、光を反射する反射部を有する反射層と、前記反射層上に設けられた着色層と、を備え、前記反射部には、前記着色層がドット形状に複数配置されていることを特徴とする。
【手続補正４】
【補正対象書類名】明細書
【補正対象項目名】００１４
【補正方法】変更
【補正の内容】
【００１４】
また、本発明の電気光学装置用基板の製造方法は、実質的に光が透過可能な透過部及び光を反射する反射部と、前記反射部に設けられた反射層とを備える電気光学装置用基板の製造方法において、所定の方向に走査可能なノズルから着色層材料を前記反射部に塗布し、前記反射部に着色層をドット形状に複数形成することを特徴とする。
【手続補正５】
【補正対象書類名】明細書
【補正対象項目名】００１６
【補正方法】変更
【補正の内容】
【００１６】
また、本発明の電気光学装置は、一対の基板を有する電気光学装置において、一方の前記基板には、実質的に光が透過可能な透過部及び光を反射する反射部と、前記反射部に設けられた反射層とが設けられ、他方の前記基板には、前記反射層に平面的に重なるように着色層が設けられ、前記着色層は、前記反射部に対応する領域にはドット形状に配置されるとともに、前記透過部に対応する領域には少なくともその一部を覆うように配置されることを特徴とする。
【手続補正６】
【補正対象書類名】明細書
【補正対象項目名】００１８
【補正方法】変更
【補正の内容】
【００１８】
また、本発明の電気光学装置は、一対の基板を有する電気光学装置において、前記基板間には、表示用の第１電極、着色層、表示用の第２電極及び反射層が平面的に重なるように配置され、前記第１電極及び前記第２電極が重なる領域に画素領域が定義され、前記画素領域内に、実質的に光が透過可能な透過部及び光を反射する反射部が設けられ、前記反射部に前記反射層が設けられ、前記着色層は、前記反射部に対応する領域にはドット形状に複数配置されるとともに、前記透過部に対応する領域には少なくともその一部を覆うように配置されることを特徴とする。
【手続補正７】
【補正対象書類名】明細書
【補正対象項目名】００２０
【補正方法】変更
【補正の内容】
【００２０】
また、本発明の電気光学装置用基板は、複数の透過部及び複数の反射部と、前記反射部に設けられた反射層と、前記反射層上に設けられた、異なる色の複数の着色層と、を備え、各前記透過部には、各前記透過部を覆うように、対応する前記着色層が配置され、各前記反射部には、対応する前記着色層がドット形状に複数配置され、前記複数の着色層の少なくとも一つは、その他の着色層と前記反射部に配置される面積が異なることを特徴とする。